(57)【要約】本発明は、特に子供に授乳する女性が身につけるブラジャーに関し、二重の層構造で円形に編まれた一個の生地から縫い目がないように作成され、止め金具装置を外し実質上ブラジャーの外側層を引き下げることによって、時々一方の乳房を露出することを女性が容易に行えるように構成されているブラジャー。
2005521800.tif 000002
【特許請求の範囲】
【請求項１】
むしろ授乳する際に使用するための、二つのカップを有する前側部分と、その二つのカップの間に配列されている中央部分と、背側部分と、前側部分及び背側部分に結合している二つのサイド部分と、乳房下側の胸部の周りに心地よく適合するバンドと、背側部分から伸びていて、かつ前側部分の、二層構造の生地から完全にまたは部分的に形成されている、各カップに結合されている一対の肩紐とを備えているブラジャーであって、ブラジャーは、一個の円形に編まれている生地から縫い目なしに製作されていて、各カップの直ぐ上部の位置或いは各カップの上部縁に、肩紐上の対応する第二止め金具とともに簡単に解除可能な方法で協働して作動する第一止め金具が提供されており、かつ、上記第二止め金具は内側カップ層とともに肩紐に結合していることを特徴とするブラジャー。
【請求項２】
第一止め金具は受け部材であり、第二止め金具はフック部材であることを特徴とする請求項１に記載のブラジャー。
【請求項３】
第一止め金具はフック部材であり、第二止め金具は受け部材であることを特徴とする請求項１に記載のブラジャー。
【請求項４】
内側カップ層は、乳房の外側及び下側を支える完全なカップの一部分として形成されていることを特徴とする請求項１〜３のいずれか一つの請求項に記載のブラジャー。
【請求項５】
内側カップ層は、乳房の内側及び下側を支える完全なカップの一部分として形成されていることを特徴とする請求項１〜３のいずれか一つの請求項に記載のブラジャー。
【請求項６】
内側カップ層は、完全なカップの一部分として、かつ、一方の部分が乳房の外側及び下側を支え、他方の部分が乳房の内側及び下側を支える二つの部分として形成されていることを特徴とする請求項１〜３のいずれか一つの請求項に記載のブラジャー。
【請求項７】
内側カップ層は、乳首を取り囲むために中央に穴が提供されている完全なカップとして形成されていることを特徴とする請求項１〜３のいずれか一つの請求項に記載のブラジャー。
【請求項８】
むしろ授乳する際に使用するための、その間に中央部分が配列されている二つのカップを有する前側部分と、背側部分と、前側部分及び背側部分に結合している二つのサイド部分と、乳房下側の胸部の周りに心地よく適合するバンドと、背側部分から伸びていて、かつ前側部分の、二層構造の生地から完全にまたは部分的に形成されている、各カップに結合されている一対の肩紐とを備えているブラジャーであって、ブラジャーは、一個の円形に編まれている生地から縫い目なしに製作されていて、各カップの直ぐ上部の位置或いは各カップの上部縁に、肩紐上の対応する第二止め金具とともに簡単に解除可能な方法で協働して作動する第一止め金具が提供されており、かつ、中央部分の上部縁において、二つの肩紐上の上記他方の止め金具の一つとともに簡単に解除可能な方法で協働して作動する中央紐が提供されていることを特徴とするブラジャー。
【請求項９】
上記第一止め金具は受け部材であり、上記第二止め金具はフック部材であり、かつ、上記中央紐は受け部材を提供されていることを特徴とする請求項８に記載のブラジャー。
【発明の詳細な説明】
【技術分野】
【０００１】
本発明は、むしろ授乳の際に使用し、中央部分がその二つのカップの間に配列されている二つのカップからなる前側部分と、背側部分と、前側及び背側部分に結合している二つのサイド部分と、乳房の下の胸部を囲んで体にぴったりと適合するバンドと、背側部分から伸びており、かつ、前側部分の、２層の生地から完全に或いは部分的に形成されている、各々のカップに結合されている一対の肩紐とを備えているブラジャーに関する。
【背景技術】
【０００２】
女性が胸を露出するために以下の一つを行わなければならないように設計されていることがしばしばであるので、子供に授乳する女性にとって、従来からのブラジャーを使用することは問題を生じる：
―胸の上側にカップを位置させるようにカップを胸の上に持ち上げる、これは、カップが胸の組織を抑圧し押し付け/締め付ける原因となり、乳の供給を止めてしまう原因となる。
―ブラジャーが緩く胸を露出することが可能なのでブラジャーを開ける。しかしながら、これは、授乳をしていないときの胸をブラジャーで支えることができないこととなり、女性が同時に片手でブラジャーを開けたり/閉じたりしている間は子供を抱いていることを困難にしてしまう。
―肩紐を肩から引き降ろす、これは、女性が衣服の一部を脱ぐということを意味する。いくつかの状況においては、子供への授乳のために衣服を脱ぐということは女性にとって望まれないであろう。
【０００３】
さらにまた、既存の従来からのブラジャーのいくつかは、特に授乳女性用に設計されている。授乳用ブラジャーは、その後に一緒に縫い合わされることとなる明らかにたくさんの異なる布片から作られている。ブラジャーを一緒に縫う際にはたくさんの縫い目が提供される。これらの縫い目は、胸が既に強く張って痛いので子供たちに授乳させる女性をいらいらさせることとなる。これらの女性は、胸の組織を抑圧し押し付けるたくさんの縫い目のあるブラジャーを利用する際にはこのようにある種の不快感を感じるであろう。
【０００４】
米国特許第６、２８７、１６８号には、いかにして実質上縫い目のないブラジャーが円形の編まれた生地の管状体から作られているかそしてブラジャーが単一層か或いは２層にされた生地のいずれかからいかにして作られるかが開示されている。説明されているタイプのブラジャーは前側をあけることができないので、授乳の際の利用には適切ではない。それは肩紐の長さの調節を可能にしているのみであり、女性が、胸を露出するために、カップを胸の上まで引っ張り上げるか胸の下まで引き下げるか、肩紐を肩まで引き下げるかブラジャーを緩くするかをしなければ女性の授乳を支援することはない。
【発明の開示】
【０００５】
それゆえ、本発明の目的は、着心地の良い、そして授乳する女性にとっていつでも一方の胸を露出するのに簡便な縫い目無しブラジャーを提供することである。
円形の編まれた生地片から縫い目なしに製作されるブラジャーであって、各カップの直ぐ上の部分で叉は各カップの上部縁において、肩紐上の対応する第二止め金具と簡単に解除可能な方法で協働して作動するところの第一止め金具が提供され、上記第二止め金具は内側カップ層と共に肩紐に結合されていることを特徴とするブラジャーが達成されている。
【０００６】
以下に、ブラジャーが子供に授乳する女性の使用のために説明されている、しかし、本発明は、例えば以下のような他の状況にも叉適用する；
―授乳する層がブラジャーの内部カップと外部カップとの間に固定されることができる授乳期間中、
―女性の乳房の大きさが増大し、時々痛くなり張ってくるようになって以来、特に伸縮性のあるブラジャーを使うのが便利になる妊娠中、
―人工乳房をつけるために二重層のカップのブラジャーが使用される乳房手術後、
―種々の包帯が二つの層の間につけられるように、二重層のカップのブラジャーが使用される包帯使用のために。
【０００７】
女性にとって身に付けていて気持ちよく、かつ、授乳する女性にとって時々片方の乳房を露出するのに簡単であるブラジャーを製作するために、本発明にかかるブラジャーは、むしろ授乳時に使用するために、二つのカップを有する前側部分と、その二つのカップの間に配置される中央部分と、背側部分と、前側部分と後ろ側部分に結合している二つのサイド部分と、乳房の下の胸部を心地よく囲んでぴったりと適合するバンドと、背側部分から伸びていて前側部分の各カップに結合されている一対の肩紐とを備えており、そのカップは完全に或いは部分的に二重層の生地で作られていて、そのブラジャーは円形に編まれた生地片から縫い目なしに製作されており、各カップのすぐ上か或いは上部縁には、簡単に解除可能な方法で肩紐上の対応する第二止め金具と協働して作動する第一止め金具が提供されており、上記第二止め金具は内側カップ層と共に肩紐に結合しているところのブラジャーとして提供されている。
【０００８】
このブラジャーの実施例は、張って痛みのある乳房を刺激する縫い目がないので縫い目なしのデザインが着ていて心地よいという理由で、子供に授乳する女性がブラジャーを使用することを可能にしている。
【０００９】
二つの止め金具の設計の理由で、肩紐は、ブラジャーがブラジャーとして単独で使用される際には、ブラジャーの内側カップと外側カップの両方に結合されている。止め金具は、女性がブラジャーを緩めなければならない或いは肩から肩紐を引き降ろさねばならないさらには乳房を越えてカップを引き上げなければならないかの何れかに際して生じる種々な問題を経験することなしに一つ或いは両方の乳房を露出するためにブラジャーの外側カップを緩めるか外側カップを引き下げることを女性のために簡単にしている。
肩紐がブラジャーの内側カップに結合されているので、ブラジャーの外側カップを引き下げることは、肩紐を背部に見えなくしてしまうとか、ブラジャーを緩く感じるとか、もう一つの乳房に関するブラジャーの支持効果が消滅してしまうようなことにはならない。
【００１０】
女性はまず露出した乳房のところに子供を位置付け、授乳を実行し、その後に、彼女は、彼女がブラジャーの外側カップを再び他方の手で引き上げ、肩紐の一つにそれを固定し、そして、おそらくブラジャーの他方の外側カップを他の肩紐の固定から解き、ブラジャーの二番目の外側カップを引き下げて、子供を他方の乳房に位置付ける間ずっと、一方の手叉は腕で子供を抱いていることができる。
【００１１】
このブラジャーは、円形に編まれた生地の管状体から作成され、縫い目がないように組立てられているので、ブラジャーは原則として２層の生地で提供されている。ブラジャーの望まれる形状を達成するために、材料は二つの層の一方から移動され、通常は、いくつかの材料が内部の層から移動される。
円形の編まれた生地でブラジャーを作成しているので、それは、さらにまた、一個の生地から縫い目なしのブラジャーを作成することを可能にし、それは、円形に編まれた生地の管状体の製造品において、ブラジャーの異なる部品が異なる機能を実行しなければならないということが考慮されねばならない。
【００１２】
カップは、生地を取り囲んでいるエリアより緩い編まれた構造の円形の編まれた管状体上に膨らみとして編まれている。このことは、カップを伸縮性のある心地よいものにし、望ましい位置に乳房を取り囲み保持することができる。
二つのカップ間の中央部分は、本質的にカップよりも短く及び/叉は少ない伸縮性の生地片から作成されなければならない。これは、中央部分がカップを形成する材料を引き締めかつ前側部分の表の材料に結合しており、そして、このようにして、二つのカップの形成及びカップの形の維持において支援しているということを意味している。もし中央部分がより短い及び/叉はより伸縮性の少ない材料で作成されていなければ、同時に両方の乳房を支えるという二つのカップの影響は達成されず、一つのカップのみが達成するであろう。
【００１３】
ブラジャーの背側部分は、一定のデザイン叉はロゴが見られるように、編み構造を変更することにより/叉は編む際に異なる糸を使用することによっていろいろな設計で製作されることができる。
さらにまた、特別の背面支持効果を有するブラジャーが作成されることができる。背側部分の特別のエリアから増加される支持効果を達成するために、背側部分を作り出すこととなる円形に編まれた管状体の部分の製品である間ずっと編み構造は変更させられる。同様のことが、前側部分と背側部分に結合するサイド部分にも適用される。ここでは、それはまた、望まれるデザイン或いは支持効果の理由で、変更された編み構造を伴うエリアを有することを可能にする。
【００１４】
ブラジャーの縁部分は、デザインやブラジャーの使用によって、畝模様がつけられる、滑らかに作成される、叉はそれとは異なって作成されるといういずれかによるところの伸縮性のある材料から作成される。しかしながら、最も重要なものは、それはブラジャーが体にぴったり合うように保たれ且つ乳房を支えるのを支援するように、ブラジャーが乳房の丁度下のエリアにおける胸部を囲んで心地よく適合することである。ブラジャーは円形に編まれた生地の管状体から作成されているので、このことは、また、縁部分が、ブラジャーがその位置にくるために頭を超えて胸部の周りにくるという意味から、バンドとして作成されているということを意味している。
【００１５】
他の実施例において、ブラジャーが、一般に知られているブラジャーのように、後ろ側または両カップの間で閉じることができるように、ブラジャーは垂直の閉鎖装置を伴って提供されることができる。このことは、背側部分または前側部分が異なるデザインを有するか、または、幾種類かの止め金具装置或いは非常に大きな止め金具装置である閉鎖装置が使用されるということを要求する。
【００１６】
本発明に係るブラジャーは、通常は、以下の繊維タイプの一つ或いはそれ以上から作られている糸で編まれている；エラスタン、ポリアミド、ポリエステル、コットン、ウール、及び/叉はシルク。エラスタンは伸縮性効果を有する編まれている生地を提供する。
説明されている糸は、マイクロファイバーの特質のもの或いは通常のファイバーの太いものとすることができる。もし、ブラジャーがマイクロファイバーから編まれた生地で提供される場合は、ブラジャーを着けている女性の心地良さを増大する自然のしなやかさを持つでしょう。
【００１７】
止め金具部材は、通常は、プラスチック材料或いは合金で作られ、それらがブラジャーに調和するように着色されたり及び/叉は光沢を出したりすることができ、或いはブラジャーの色に関連して装飾的に強調されるように着色される。しかしながら、止め金具部材は、また、ブラジャーが作られる生地と共に着色できるように、ポリアミド、ポリエステル或いは同種のものから作成されることができる。
【００１８】
女性が子供に授乳する際にカップを解放するために、ブラジャーは、第一止め金具は受け部材でありかつ第二止め金具はフック部材である第一、第二止め金具を備えている、止め金具装置を伴って提供される。あるいはまた、第一止め金具がフック部材であり、第二止め金具が受け部材である。両方の具体例のために、二つの止め金具が、それらがお互いに一致するように且つ噛み合って閉じることができるように作成されているということが適用される。これらの止め金具は、同時に女性に対して片手のみでカップを緩めたり固定したりすることを可能にしている間ずっと、同時に女性が子供を抱いている際の最大の利点であるところのブラジャーが全体的にしっかりとその位置を保っているということを確実にする。
【００１９】
最初の実施例において、受け部材は、あるいはまた、ブラジャーの外側カップの生地上部縁における開口によって提供される。このことは、肩紐がフック部材として提供されることを要求する。その逆は、受け部材が肩紐における開口によって提供される代替する実施例のために適用される。このことは、フック部材がブラジャーの外側カップの上部縁に提供されることを要求する。
【００２０】
女性の乳房が同じ形ではないまた同じ大きさではないという理由で、異なるタイプ及び大きさのブラジャーが生産されるということは時宜を得ており、それが、本発明に従ってたくさんの異なるブラジャーが提供される理由である、即ち；
―最初の具体例において、内側カップの層が、乳房の外側及び下側を支える完全なカップの一部分として提供されている；
―二番目の具体例において、内側カップの層が、乳房の内側及び下側を支える完全なカップの一部分として提供されている；
―三番目の具体例において、内側カップの層が、完全なカップの一部分として、そして一方の部分が乳房の外側及び下側を支え、他方の部分が乳房の内側及び下側を支える二つの部分として提供されている；
―四番目の具体例において、内側カップの層が、乳首を囲んで中央に孔を与えられた完全なカップの部分として提供されている。
最初の三つの具体例においては、内部カップの層は、乳房の外側を支える及び/叉は内側を支える完全なカップの一部分として、代替的に、提供されることができる。
ブラジャーの内側カップに関し種々の形式を備えた種々のタイプのブラジャーは、女性に対し彼女が身に付ける最適なタイプを見出すことを可能にする。さらにまた、授乳期間中において異なるタイプのブラジャーを使用することを可能にする。
【００２１】
乳房の簡単な露出を許容し且つ身に付けて心地よいブラジャーである代替可能な具体的事例において、ブラジャーは、むしろ授乳時に使用するブラジャーであって、二つのカップを有する前側部分と、その二つのカップの間に配置される中央部分と、背側部分と、前側及び背側部分に結合される二つのサイド部分と、乳房の下における胸部の周りに心地よく適合するバンドと、背側部分から伸びており且つ前側部分の各カップに結合している一対の肩紐とを備えており、そして、カップは二重の層になった生地から完全に叉は部分的に形成され、ブラジャーは一個の円形に編まれた生地から縫い目なしに作成され、各カップの直ぐ上部叉は上側縁において第一止め金具が、肩紐側の対応する第二止め金具と簡単に解除可能な方法で協働して作動するように提供されており、二つの肩紐上の説明された他の止め金具の一つと共に簡単に解除可能な方法で協働に作動する中央紐が中央部分の上部縁に提供されている。
【００２２】
ブラジャーのこの具体的事例において、内部カップは存在しない、そしてカップが引き下げられる際に全体の乳房が露出され、乳房は、引き下げられたカップ/中央部分によって、そして乳房の下を支えるブラジャーの縁によって内側に支えられている。
授乳中にブラジャーを全体的にしっかりと保つために、中央紐は中央部分に添えられており、カップを下げる際にはそれは肩紐に属して固定されている。このことは、ブラジャーが全体としてしっかりと保たれておりそして使用されていない乳房は支えられて露出していない。
【００２３】
中央紐を肩紐に結合するために、結合部が、上記第一止め金具が受け部材であり、上記第二止め金具がフック部材であり、上記中央紐が受け部材と共に与えられており、一つの具体的事例においては、それは、例えば、プラスチック或いは金属製の受け部材を中央紐の固定されていない端部に結合することによって与えられることができる、このような手段によって提供されている。
【００２４】
他の具体的事例においては、中央紐は、中央紐を横切る一つまたはそれ以上の位置で結合される二重の層になった生地から作られ、そのため複数の受け部材が形成される。さらにまた、この中央紐の具体的事例は、授乳中に肩紐の長さを調節可能とするのに適している中央紐を作成する、このため、ブラジャーの最適な可能な支持が達成され、露出した乳房の上部への肩紐/中央紐の心地よい接触が達成される。
【００２５】
カップは、各カップの直ぐ上の位置または各カップの上部縁に配置される止め金具と共に肩紐に結合される。この止め金具は、受け部材となることができ、それは、プラスチック/金属部分であるか、カップの上部縁の生地から作られるかのいずれかである。このブラジャーの具体的事例は、カップの引き下げ及びカップの変更のために二本の手を必要とする。
【００２６】
このブラジャーのさらなる具体的事例においては、肩紐のフック部材が二重にされることができる、このため、中央紐を最初のフック部材に片手で最初に添えて、カップを実質上他のフック部材から緩めることが可能となる。
【００２７】
両方の乳房を一度に露出するために、中央部分の上部縁に結合されている中央紐が、受け部材またはフック部材である二つの端部を提供することができる。これは、授乳中に乳房を変更する際に中央紐を左右に移動するという必要性を排除している。
【発明を実施するための最良の形態】
【００２８】
図１に示される正面図は、バンド部分２と、二つのカップ３と、中央部分４と二つの肩部分５を備えたブラジャー１を示している。各カップ３の上側縁で、さらに肩紐５に連結している止め金具７と連結されている止め金具６が提供されている。この実施例において、止め金具６は受け部材であり止め金具７はフック部材である。カップ３の背後には内部カップ８の一部が見られ、それはフック部材７に連結されている。ブラジャーのバンド部分２は洗練された具体例としてここに示されている。
【００２９】
図２では、この実施例においてリブを構成しているバンド部分２と、生地が異なる編み構造及び/または異なる糸で編まれているいくつかのエリアに分割されている背後部分９とを備えるブラジャーの背後部分を示している。エリア９aは、背後部分における支持効果を持つ生地を提供する編み構造で編まれている。文章またはロゴが提供されるので、エリア９ｂの編み構造は変化させられている。背後部分９は、実質上、上の方へかつ外方向へ二つの肩紐５に分かれている。アーム開放部分１０にはバンド１１が縫いつけられている。或いはまた、アーム解放部分は曲げられ且つ接合して固定される。
【００３０】
図３では、円形の編まれた管状体１２からいかにしてブラジャーが作成されるのかが示されている。円形の編まれた管状体１２のおおよそ中央において、後にブラジャーのバンド部分２を形成する折り畳み部分１３が提供されている。
円形の編まれた管状体１２の下側部分１４から、カップ１８の背後の位置に折り重ねられる内部カップ１５が形成される。下側部分１４のうち内側カップ１５として利用されない部分は切り離される。内側カップ１５上に、止め金具（図示されていない）及び肩紐２２，２３に結合されることとなる二つの端部分１６が見られる。このことは一方または両方のカップ１８がもし引き降ろされたとしても、ブラジャー１が常に一緒に保持されていることを確実にする。
円形の編まれた管状体１２の上側部分からは、背後部分（図示されていない）と、前側部分と、カップ１８とサイド部分（図示されていない）とが形成される。二つのカップの間には中央部分１９がある。
ジグザグ線２０、２１はアーム開放部分のために開かれているエリアを示している。部分２３と２２は、実質上、これらが切り取り線２４と２５で切断された際に、肩紐５として利用される。
切り取り線２４と２５を閉じ込めている肩紐２２と２３の部分は、後に内側カップ１５の端部分１６と連結される止め金具（図示されていない）と共に提供される部分となる。
代替する実施例においては、肩紐は、内側カップ１５が形成される生地片の形状に対し大部分一致している中央部分１７の上部リムにおけるトップ部分を編むことによって提供される。余分な生地は移動され、肩紐は背後部分に固定される。この実施例においては、アーム開放部分と肩紐は、しかしながら、曲げられて接合されるかまたは縫いこまれたバンドを持たねばならない。
【００３１】
図４は、バンド部分２と、引き降ろされた状態の左カップ３aと、まだその位置を保っており肩紐５ｂに固定されている右カップ３ｂとを備えているブラジャー１の第一実施例の正面図を示している。引き降ろされた状態の左カップ３a上に、受け部材である止め金具６aが見られる。カップ３ｂの頂部には止め金具部材７bに結合される止め金具部材６bが見られる。
ブラジャーの左側で見られるように、肩紐５aが、さらに内部カップ８aと結合している止め金具部材７aと結合しており、内部カップ８aは部分的なカップであり、乳房（図示されていない）の外側及び下側で乳房（図示されていない）を支えている。見られる通り、授乳しようとする女性は止め金具６aまたは６ｂを緩めかつカップ３a及び/または３ｂを引き降ろすことが簡単にできるでしょう。さらにまた、ここでは、肩紐５a及び５ｂによって一緒に保持されており、かつ、止め金具７a及び７ｂを通して内部カップ８a及び８bに結合されているブラジャーのグリップを緩めることなく、同時に両方を緩めることが可能である。
【００３２】
図５には、それは畝模様のつけられたバンド部分２と、引き降ろされた状態の左カップ３aと、その位置のままで肩紐５ｂに結合されている右カップ３ｂとを備えている他の実施例を見ることができる。右カップ３ｂの上部縁において、内部カップ８bと共に肩紐５bに結合しているフック部材７ｂに結合されている受け部材である止め金具６ｂが提供されている。ブラジャー１の左側に見られるように、肩紐５は、内側カップｂ８aの上部リムにさらに結合されている止め金具７aに結合されている。内部カップはカップの一部分であり、それは、その内側にかつ両乳房（図示されていない）の間に沿って乳房（図示されていない）の下側から乳房（図示されていない）を支持している。引き下げられているカップ３aのところで、この場合は受け部材である止め金具部材６aが提供されている。
【００３３】
図６にはブラジャー１の三番目の実施例が見られ、それは、畝模様をつけられたバンド２と、引き下げられた状態のカップ３aと、その位置のままで肩紐５ｂに結合されている右カップ３ｂを備えている。カップ３bの上部縁で、内側カップ３０と共に肩紐５ｂに結合している他方の止め金具部材７bに固定されている受け部材６bが提供されている。ブラジャー１の左側に見られるように、肩紐５aは、さらに内部カップ３１に結合している止め金具部材７aに結合され、内部カップ３０に対応している内部カップ３１は、乳房をその外側で乳房の下側から支えている部分３２と両乳房間に沿って乳房の下側から支えている部分３３の２部分にわかれている。引き下げられたカップ３a上にこの場合は受け部材である止め金具部材６aが提供されている。
【００３４】
図７には、畝模様がつけられているバンド２と、引き下げられた状態の左カップ３aと、その位置のままで肩紐５ｂに固定されている右カップ３ｂとを備えているブラジャー１の４番目の実施例が見られる。右カップ３bの上部縁で、フック部材７ｂに固定されている受け部材としての止め金具６ｂが提供されており、フック部材７ｂは内部カップ８ｂと共に肩紐５ｂに結合されている。
ブラジャー１の左側に見られるように、肩紐５aは、さらに内部カップ８aに結合されている止め金具部材７aに結合されており、内部カップ８aは完全なカップであり、乳首（図示されていない）を取り囲んだ穴４０を中央に配置している。乳首のためのこの穴は、ブラジャー１が乳房の異なる大きさ及び乳首の異なる配置において広範囲にわたる女性によって使用されることができるように寸法が決められなければならない。引き下げられたカップ３a上にはこの場合は受け部材である止め金具部材６aが提供されている。
【００３５】
図８には畝模様をつけたバンドと、右カップ３ｂと引き下げられた状態の左カップ３aとを伴うブラジャー５０が見られる。中心部の中央部分４では、その縫い目がフッ部材５３に固定される複数の受け部材５６を形成するように、中央紐５１を横切る方向の複数個所で一緒に縫い込まれている中央紐５１がその内側に提供されている。
中央紐５１上の縫い目５２は、ブラジャーが使用中にしっかりと固定されることができるように、肩紐５aと紐５１がその長さ方向において移し変えられることができるということを意味している。
肩紐５aは、さらに中央紐５１の外側の受け部材５６に結合されているフック部材５３aに結合される。このことは、肩紐５aがコントロールされており、ブラジャー５０は、例えカップ３aが引き降ろされているとしても、使用されてない乳房上に支え効果をまだもっているということを意味している。
カップを引き降ろすために、カップ３aはフック部材５３aとフック部材５３aに固定された中央紐５１から解放されなければならない。乳房を変更するためには、中央紐５１はフック部材５３aから解放されなければならず、かつ、カップ３aの受け部材（図示されず）はフック部材５３aに固定されなければならず、カップ３ｂの受け部材５４ｂはフック部材５３ｂから解放され、中央紐５１がフック部材５３ｂに固定されなければならない。
ブラジャー５０が授乳用ブラジャーとして使用されないときは、中央紐５１は中央部分４の背後部分から垂下している。中央紐５１は、縫い目或いは、例えばボタン、刺繍、ブローチのような飾り要素と一緒に、中央部分４に固定されることができる。
【００３６】
図９には他のタイプの止め金具６２を伴う他の止め金具部材が示されており、それは、一緒に押されたときに相互に滑動して噛み合う止め金具６２aと止め金具６２ｂとして提供される二つの部分のバックルを備えている。止め金具６２ｂのトップ側にはリリーサーが配置され、それは押されたときに、二つの止め金具が分離されるように、噛み合いを自由にする。止め金具６２aは受け部材６１によってまたは直接に肩紐５及び内部カップ８に結合され、一方で、止め金具６２ｂはカップ３の上部縁に連結されている。
【００３７】
図１０には第一止め金具７１及び第二止め金具７２を伴う止め金具装置７０が示されている。止め金具７１は、バックプレートと、フックと、クランプ７１が内部カップ８と肩紐５に連結されるところの二つの穴を備えているフック部材である。止め金具７２は、止め金具７１のフックの結合においてぴったりと合う受け部材である。止め金具７２はカップ３の上部縁に連結される。
図面に示されている止め金具装置は、ビジネスにおいて授乳用ブラジャーとして一般に使用されている普通に知られている止め金具装置である。等しく使用に便利である他の類似の止め金具装置もある。本発明は、図面に示された適用及び上記された実施例に限定されない。他の、ブラジャーの形式、ブラジャーの内側層及び止め金具装置を備えた他の実施例が本発明の広がり及び請求の範囲に記載された範囲内で可能である。
【図面の簡単な説明】
【００３８】
【図１】本発明のブラジャーの正面図である。
【図２】本発明のブラジャーの背面図である。
【図３】縫い目のない円形の編まれた管状体の図である。
【図４】本発明のブラジャーにおける一番目の実施例の正面図である。
【図５】本発明のブラジャーにおける二番目の実施例の正面図である。
【図６】本発明のブラジャーにおける三番目の実施例の正面図である。
【図７】本発明のブラジャーにおける四番目の実施例の正面図である。
【図８】本発明のブラジャーにおける五番目の実施例の正面図である。
【図９】本発明における代替可能な止め金具の詳細図である。
【図１０】本発明における二番目の代替可能な止め金具の詳細図である。
【図１】
2005521800.tif 000003
【図２】
2005521800.tif 000004
【図３】
2005521800.tif 000005
【図４】
2005521800.tif 000006
【図５】
2005521800.tif 000007
【図６】
2005521800.tif 000008
【図７】
2005521800.tif 000009
【図８】
2005521800.tif 000010
【図９】
2005521800.tif 000011
【図１０】
2005521800.tif 000012
【図１１】
2005521800.tif 000013
【図１２】
2005521800.tif 000014
【図１３】
2005521800.tif 000015
【図１４】
2005521800.tif 000016
【国際調査報告】
2005521800.tif 000017
2005521800.tif 000018
2005521800.tif 000019